(57)【要約】【課題】  一実施形態においては、コンテンツのダビング方法の多様性を追求し、ユーザの使い勝手のよい電子装置及び電子装置の制御方法を提供することを目的とする。【解決手段】  本願の一実施形態は、複数の番組のコンテンツのダビングの実施を管理する管理部において、番組リストに提示されている番組に対してダビング予約マークを付すと共にとダビング先の装置を指定する第１手段と、前記ダビング先の装置が接続されたとき前記ダビング予約マークが付された番組のコンテンツを自動的に前記ダビング先の装置に記録する第２手段と、を具備したことを特徴とする。【選択図】図２
2019140622.tif 000002
【特許請求の範囲】
【請求項１】
複数の番組のコンテンツのダビングの実施を管理する管理部において、
番組リストに提示されている番組に対してダビング予約マークを付すと共にとダビング先の装置を指定する第１手段と、
前記ダビング先の装置が接続されたとき前記ダビング予約マークが付された番組のコンテンツを自動的に前記ダビング先の装置に記録する第２手段と、を具備したことを特徴とする
電子装置。
【請求項２】
前記第２手段は、前記指定先の装置が、前記電子装置本体に電気的に接続されたときに、自動的に前記記録を実行する、請求項１記載の電子装置。
【請求項３】
前記第２手段は、前記指定先の装置が、通信手段の通信エリア圏内にいることが検出されたときに、自動的に前記記録を実行する、請求項１記載の電子装置。
【請求項４】
第１手段は、ダビング予約マークとともに、ダビング先の装置も表示させる請求項１記載の電子装置。
【請求項５】
複数の番組のコンテンツのダビングの実施を管理する管理部を有した電子装置の制御方法において、
番組リストに提示されている番組に対してダビング予約マークを付し、
前記ダビング予約マークが付された番組のコンテンツを自動的にダビング先の装置に記録する、ことを特徴とする電子装置の制御方法。
【発明の詳細な説明】
【技術分野】
【０００１】
本発明に係る実施形態は、ダビング（本明細書ではコピーと称してもよい）回数制限機能持つ電子装置及び電子装置の制御方法に関する。
【背景技術】
【０００２】
現在の記録再生装置は、放送信号により送られてくる番組コンテンツ、ＤＶＤ（登録商標）、ブルーレイ（登録商標）などに収録された映画、ニュース、ドキュメントなどを含むデータコンテンツを、内蔵した記録媒体（ハードディスク）や外付けの記録媒体（ＵＳＢ接続されたハードディスク）に記録可能であり、また記録したコンテンツを再生することができる。
【０００３】
さらにまた記録再生装置は、上記した記録媒体に記録されている番組や映画などのコンテンツを、別途用意した記録媒体（ＤＶＤ、ブルーレイディスク、ハードディスクなど）に移動したり、ダビングしたりすることもできる。
【０００４】
上記したダビングは、無制限にできるものではなく、例えば１０回までという著作権上の規定がある。この規定に応えるために、記録再生装置は、ダビング回数を規制するダビング管理機能が設けられている。
【先行技術文献】
【特許文献】
【０００５】
【特許文献１】特開２０１３−１５０２９３号公報
【特許文献２】特開２０１０−２６３２７６号公報
【特許文献３】特開２０１０−２１２８４７号公報
【特許文献４】特開２０１０−１３０６６５号公報
【発明の概要】
【発明が解決しようとする課題】
【０００６】
上記したように記録再生システムにおいて、近年の技術の進歩によりダビングや移動（ムーブ）を行う形態や方法が、変化しつつある。このために従来のダビング管理機能では、対応できないことがある。
【０００７】
そこで、一実施形態においては、コンテンツのダビング方法の多様性を追求し、ユーザの使い勝手のよい電子装置及び電子装置の制御方法を提供することを目的とする。
【課題を解決するための手段】
【０００８】
本願の一実施形態は、複数の番組のコンテンツのダビングの実施を管理する管理部において、番組リストに提示されている番組に対してダビング予約マークを付すと共にとダビング先の装置を指定する第１手段と、前記ダビング先の装置が接続されたとき前記ダビング予約マークが付された番組のコンテンツを自動的に前記ダビング先の装置に記録する第２手段と、を具備したことを特徴とする。
【図面の簡単な説明】
【０００９】
【図１】本実施形態が適用されたテレビジョン装置の全体的なブロック構成図である。
【図２】本実施形態に係る主要な機能ブロックを取り出して示す図である。
【図３】本実施形態に係る要部の一動作例を説明する図である。
【図４】本実施形態に係る要部の他の動作例を説明する図である。
【図５】本実施形態に係る要部のさらに他の動作例を説明する図である。
【図６】本実施形態で利用される表示器の操作画面の一例を説明する図である。
【図７Ａ】本実施形態で利用されるスマートフォーンのメニュー画面の一例を説明する図である。
【図７Ｂ】本実施形態で利用されるスマートフォーンの操作画面の一例を説明する図である。
【図８Ａ】図８Ａは、ダビング（或いはコピー）が行われた場合、その表示処理をどのように行うかを説明する図である。
【図８Ｂ】図８Ｂは、図８Ａの続きであり、ダビング（或いはコピー）が行われた場合、その表示処理をどのように行うかを説明する図である。
【図９】図９は携帯端末のブロック構成例を示す図である。
【図１０】図１０は本実施形態で利用される表示器の表示画面の一例を説明する図である。
【発明を実施するための形態】
【００１０】
以下、実施の形態について図面を参照して説明する。
【００１１】
図１は、一実施形態が適用されたテレビジョン装置１００の構成例を示すブロック図であり、テレビジョン装置は、例えばスクランブルされたデジタル地上波放送信号を受信する複数のチューナ、ＢＳ４Ｋ、ＢＳ８Ｋ、ＣＳ４Ｋなど複数種類の衛星放送を受信する複数のチューナを含むデジタルチューナ装置１０２を有する。
【００１２】
チューナ装置１０２で受信された放送番組の信号は、ＴＳ処理部１２２に入力され、複数のチャンネル（ＣＨ）のＴＳ（Ｔｒａｎｓｐｏｒｔ Ｓｔｒｅａｍ）が１つのＴＳに再多重される。多重ＴＳは各チャンネルの放送番組のパケット列を含む。各チャンネルのパケットには、チャンネル及びパケット識別用の識別情報が付加されている。多重ＴＳは、記憶装置１１１に入力される。またＴＳ処理部１２２に入力したＴＳの中で、制御情報を含むパケットは、制御部２００に入力されて処理される。
【００１３】
記憶装置１１１は、例えば、ハードディスクドライブ、光ディスク記録再生装置を含む。光ディスクにはデジタルバーサタイルディスク（ＤＶＤ）、ブルーレイ（登録商標）ディスク（ＢＤ）などが含まれる。
【００１４】
ＴＳ処理部１２２から制御部２００に送られるパケットは、放送番組を再生するのに必要な情報が記述された各種のテーブルを搬送する。テーブルは、例えば、放送番組の暗号化情報であるＥＣＭ（Entitlement Control Message）と、番組名、出演者、開始時刻などのイベント情報を記述したテーブルであるＥＩＴ（Event Information Table）などの情報、ＥＰＧ（Electric Program Guide：電子番組ガイド）情報、プログラムマップテーブルＰＭＴ（Program Map Table)等を含む。
【００１５】
パケットに含まれる画像データは、例えばＭＰＥＧ(Moving Picture Expert Group)方式、ＡＶＣ(Advanced Video Coding)方式などでエンコードされている。またオーディオパケット内のオーディオデータは、例えば、ＰＣＭ(Pulse Code Modulation)方式、Ｄｏｌｂｙ（登録商標）方式、ＭＰＥＧ方式などでエンコードされている。
【００１６】
ＴＳ処理部１２２で分離されたパケットの中でオーディオデータを含むパケットは、オーディオデコーダ１２３に入力され、符号化方式に応じた復号化が実施される。オーディオデコーダ１２３でデコードされたオーディオデータは、オーディオデータ処理部１２４で同期処理、音量調整などを施され、オーディオ出力部１２５に供給される。オーディオ出力部１２５は、スピーカシステムに応じたステレオ分離処理などを実行し、出力をスピーカ１２６に供給する。
【００１７】
ＴＳ処理部１２２で分離されたパケットの中で画像データを含むパケットは、画像デコーダ１３１に入力され、画像デコーダ１３１では、符号化方式に応じた復号化が実施される。画像デコーダ１３１でデコードされた画像データは、画像データ処理部１３２で、同期処理、輝度調整、色調整などが施される。画像データ処理部１３２の出力は、画像出力部１３３に供給される。画像出力部１３３は、制御部２００からのデータ、図形、番組表などをメイン画像信号に多重することができる。また画像出力部１３３は、出力画像信号に対して表示器１３４に応じたスケール、解像度、ライン数、アスペクト比などを設定して、表示器１３４に向けて出力する。
【００１８】
なお、有料番組のオーディオパケット、画像パケットが暗号化されている場合もある。この場合、鍵情報を用いて暗号化を解くための処理系統もあるがここでは省略している。
【００１９】
制御部２００は、中央演算処理ユニット（ＣＰＵ）２０１、操作コマンド処理部２０２、通信制御部２０３、デバイス管理部２０４、表示処理部１２１、メモリ２１１を含む。さらにＥＰＧ(Electric program guide)データ取り込み部を含むがここでは示していない。
【００２０】
制御部２００は、記録再生制御２５１を含む、この記録再生制御部２５１は、タイムシフト録画機能を持つ、また予約した番組を記録再生装置１１１の媒体に録画する機能、さらには、記録再生装置１１１で再生した例えばハードディスク、ＤＶＤ、ブルーレイディスクなどから再生したコンテンツを別の媒体（ハードディスク、ＤＶＤ、ブルーレイディスク）に記録する機も備える。
【００２１】
また、タイムシフト録画機能が動作するときは、記録再生制御部２５１は、記録再生装置１１１を制御し、放送される複数のチャンネルの番組を、複数日（例えば１週間分の番組乃至２週間）に渡って記録再生装置１１１に記録することができる。したがって、記録再生制御部２５１には、録画したコンテンツや番組コンテンツをテーブル上に配列した、録画リストデータも格納されている。さらに制御部２００は、準備部２５２、ダビング管理部２５３を含む。
【００２２】
上記した記録再生制御部２５１、準備部２５２、ダビング管理部２５３については、後でさらに詳しく説明する。
【００２３】
ＣＰＵ２０１は、制御部２００の全体の動作シーケンスの調整を行っている。コマンド処理部２０２は、外部から入力する操作コマンドを解析し、コマンドに応じた動作をテレビジョン装置５００に反映させることができる。デバイス管理部２０４は、制御部２００に対して操作信号を与える携帯端末７００、リモートコントローラ４００などのデバイス識別データを把握し、管理することができる。携帯端末７００は、スマートフォーン、タブレットＰＣ，パーソナルコンピュータ（ＰＣ）などを含む。
【００２４】
表示処理部１２１は、画像出力部１３３を介して表示器１３４に表示される画像信号を全般的に制御することができる。また表示処理部１２１は、画像信号の解像度、表示サイズ、表示エリアなどの調整処理を行うこともできる。また、ＥＰＧデータを用いて作成した番組表の画像信号や、操作信号に応じて制御部２００内で作成されたメニュー画像信号などを画像出力部１３３に供給することができる。
【００２５】
メモリ２１１は、制御部２００内で保存する各種のデータ、アプリケーションなどを保存することができる。またメモリ２１１は、不揮発性メモリを含み、通信のためのアドレスデータ、機器固有情報（ＴＶ固有ＩＤ）などを格納している。
【００２６】
通信制御部２０３は、外部との通信を行い、操作コマンド、データ、コンテンツ、などを取り込むことができる。取り込まれたコンテンツ、及びデータは、例えば記憶装置１１１、或いはメモリ２１１に格納されることができる。通信制御部２０３は、テレビジョン装置１００１から外部に向けて、データ、コンテンツ、などを送信することができる。
【００２７】
また、通信制御部２０３は、無線通信送受信部（通信器と称しても良い）１１３、有線通信送受信部１１２及び、ＬＡＮ送受信部１１５と接続されている。有線通信送受信部（通信器と称しても良い）１１２は、インターネットを介して、遠隔サーバ、或いはホームサーバとの間でデータの送受信を行うことができる。
【００２８】
無線通信送受信部１１３は、携帯端末７００との間でデータの送受信を行うことができ、近距離通信用である。
【００２９】
ＬＡＮ送受信部１１５は、例えば家庭内の他のテレビジョン装置、記録再生装置、セットトップボックス、家庭内サーバと接続されている。また、テレビジョン装置１００１は、リモートコントローラ４００からの操作信号を、赤外線受信部１１４を介して受け取ることもできる。
【００３０】
携帯端末７００は、テレビジョン装置１００をリモートコントロールすることができる。携帯端末７００は、図示しない基地局、インターネットなどを介してサーバをアクセスすることができる。携帯端末７００は、サーバが提供するコンテンツは勿論のこと、各種のアプリケーション、ゲームソフトなどをダウンロードし、無線通信送受信部１１３を介して、制御部２００に転送することが可能である。
【００３１】
また携帯端末７００は、コンテンツを取得するための情報（例えばウェブサーバのアドレス、メールアドレス、ネットワークアドレスなど）を、無線通信送受信部１１３を介して、制御部２００に転送することが可能である。
【００３２】
携帯端末７００からコンテンツ、アプリケーション、或いはゲームソフトが転送されてくるときは、制御部２００の通信制御部２０３が動作する。通信制御部２０３は、受け取ったコンテンツをメモリ２１１に格納する。コンテンツは、操作コマンドに応じて、或いは自動的に記録再生装置１１１に格納されてもよい。記録再生装置１１１は、受け取ったコンテンツを例えばハードディスクに記録させることができる。ハードディスクにおいては、コンテンツはコンテンツファイルとして管理される。
【００３３】
さらに携帯端末７００は、準備部２５２が用意しているコンテンツを、自身のメモリに取り込む（ダウンロードする）ことができる。
【００３４】
表示用のメニュー画像信号、番組表画像信号、録画リスト信号などは、表示処理部２１２に格納及びまたは管理されている。メニューの表示、番組表の表示が行われるときは、メニュー画面データ、番組表画像信号が、表示処理部２１２の制御に基づき、データ格納部（メモリ或いはハードディスク）から読み出され、画像出力部１３３に供給される。これにより、メニュー画面や番組表画面が表示器１３４に表示される。
【００３５】
表示用のメニュー画像信号、番組表画像信号などは、携帯端末７００に送信されることもできる。携帯端末７００がメニュー画像信号、番組表画像信号など要求した場合、表示処理部２１２は、メニュー画像信号、番組表画像信号を携帯端末７００へ送信することができる。
【００３６】
携帯端末７００は、メニュー画像信号、番組表画像信号をタッチ式パネルの画面に表示することができ、ユーザは、タッチ（或いはポイント）式パネルの画面に表示された操作ボタンに触れることにより、テレビジョン装置１００に動作指令信号を与えることができる。
＜ダビング準備と、ダビング回数のカウント及び制御について＞
図２は、本実施形態に係る主要な機能ブロックを取り出して示す図である。記録再生装置１１１の記録媒体として、例えばＨＤＤ、ＤＶＤ、ＢＤなどが用いられる。記録再生制御部２５１は、命令に応じて、記録再生装置１１１に格納されている番組や、映画などのコンテンツを他のＨＤＤ、ＤＶＤなどに所定のルールに基づいて、ダビングすることができる。準備部２５２は、ユーザ操作に応答して、ダビングするコンテンツを準備する機能を持つ。例えば準備部２５２は、ダビング予約されたコンテンツを、記録再生装置１１１から読出して、一時的に待機させることができる、或いは、待機状態のコンテンツをダビング先の媒体に応じてフォーマット変換して待機させることができる。さらには、簡易な方法としては、準備部２５２は、操作によりダビング予約されたコンテンツの記録再生装置１１１上の読出しアドレスを保存してもよい。
【００３７】
操作入力及びインターフェース部３０１は、図１に示した携帯端末７００、表示器１３４、さらには、ＵＳＢ端子を介して接続される記録再生装置及びインターフェース（図１には図示していない）などを総称している。
【００３８】
ダビング管理部２５３は、記録再生装置１１１に保持されているコンテンツが、外部に持ち出し可能な記憶媒体にダビングされたり、移動（ムーブ）された場合に、ダビング回数の残り数を管理することができる。
【００３９】
図３、図４、図５は、それぞれ、本実施形態に係る要部（ダビング管理部２５３）の管理動作例を説明する図である。
【００４０】
図３において、記録再生装置（ダビング許容ステイタス）と記載したブロック４０１の列には、ブロック４１１、４１３、４１６、４１９を示し、各ブロックにおける例えば番組ＰＡ、ＰＢ，ＰＣのそれぞれのダビング許容回数（ダビング残り回数と称してもよい）の値を示している。
【００４１】
また図３において、録画リストモニタとダビング番組の選択操作（仮置きステータス）記載したブロック４０２の列には、ブロック４１２、４１５、４１８を示し、各ブロックにおけるダビング予約数を示している。さらに図３において、ダビング実行又はダビングキャンセル操作と記載したブロック４０３の列には、ダビングが実行されたり、ダビングがキャンセルされた場合のブロック４１４、４１７を示している。
【００４２】
今、記録再生装置１１１に番組ＰＡ，ＰＢ，ＰＣが録画されているものとする。この場合、ダビング管理部２５３は、いずれの番組もまだ１度もダビングされていない場合は、ＰＡ＝１０，ＰＢ＝１０，ＰＣ＝１０として管理する（４１１）。
【００４３】
次に、ユーザがインターフェース部３０１を介して、ダビング予約操作を行い、番組ＰＢ、ＰＣを選択したものとする。このときは、ダビング管理部２５３は、ダビングの仮置きとして、ＰＢ＝１、ＰＣ＝１をセットする（４１２）。さらに、ダビング許容数としては、ＰＡ＝１０，ＰＢ＝９，ＰＣ＝９を管理する（４１３）。
【００４４】
なおダビング予約操作を行う場合には、システムは、ユーザ操作に応じて表示器の画面あるいは携帯端末の画面に録画リストを表示することができる。
【００４５】
上記の状態において、今、ユーザが、番組ＰＢを指定してダビング実行操作を行ったとする（４１４）。するとダビング管理部２５３は、ダビングの仮置きとして、ＰＢ＝０、ＰＣ＝１に変更する（４１５）。ダビング許容数としては、ＰＡ＝１０，ＰＢ＝９，ＰＣ＝９として、変更なく管理する（４１６）。
【００４６】
続いて、ユーザが、番組ＰＣのダビングをキャンセルしたとする（４１７）。するとダビングの仮置きとしては、ＰＣ＝０に変更する（４１５）。この場合は、ダビング管理部２５３は、ダビング許容数を、ＰＡ＝１０，ＰＢ＝９，ＰＣ＝１０に修正する。
【００４７】
つまり、本実施形態では、ダビング管理部２５３は、準備部２５２に一時的に予約されているダビング用のコンテンツが、ダビングをキャンセルした状態になった場合は、管理部２５３におけるダビング許容回数をキャンセル数に応じてもとに戻すことができる。
【００４８】
上記の動作例は、例えばユーザがリモートコントローラ４００を操作し、操作画面を表示器１３４で表示した状態で、ダビング動作の操作を行う例を説明した。しかし、ユーザは、携帯端末７００を用いてダビング動作の操作を行うことも可能である。このとき、携帯端末７００は、無線通信送受信部１１３を介してテレビジョン装置１００を制御することができる。
【００４９】
図４においても、記録再生装置（ダビング許容ステイタス）と記載したブロック４０１の列には、ブロック４４１、４４３、４４６、４４９を示し、各ブロックにおける番組ＰＡ、ＰＢ，ＰＣのダビング許容回数（ダビング残り回数と称してもよい）の値を示している。
【００５０】
またスマホ専用による録画リストモニタとダビング番組の選択操作（仮置きステータス）記載したブロック４３２の列には、ブロック４４２、４４５、４４８を示し、各ブロックにおけるダビング予約数を示している。さらに、スマホ専用によるダビング実行又はダビングキャンセル操作と記載したブロック４３３の列には、ダビングが実行されたり、ダビングがキャンセルされた場合のブロック４４４、４４７を示している。
【００５１】
今、記録再生装置１１１に番組ＰＡ，ＰＢ，ＰＣが録画されているものとする。この場合、ダビング管理部２５３は、いずれの番組もまだ１度もダビングされていない場合は、ＰＡ＝１０，ＰＢ＝１０，ＰＣ＝１０として管理する（４４１）。
【００５２】
次に、ユーザがスマートフォーン（インターフェース部３０１）を操作して、ダビング予約操作を行い、番組ＰＢ、ＰＣを選択したものとする。このときは、ダビング管理部２５３は、ダビングの仮置きとして、ＰＢ＝１、ＰＣ＝１をセットする（４４２）。さらに、ダビング許容数としては、ＰＡ＝１０，ＰＢ＝９，ＰＣ＝９を管理する（４４３）。なおこの状態においては、ＰＡ＝１０，ＰＢ＝１０，ＰＣ＝１０であっても構わない。
【００５３】
なおユーザがダビング予約操作を行う場合には、システムは、ユーザ操作に応じて携帯端末の画面に録画リストを表示することができる。
【００５４】
上記の状態において、今、ユーザが、携帯端末を操作して番組ＰＢを指定してダビング実行操作を行ったとする（４４４）。するとダビング管理部２５３は、ダビングの仮置きとして、ＰＢ＝０、ＰＣ＝１に変更する（４４５）。ダビング許容数としては、ＰＡ＝１０，ＰＢ＝９，ＰＣ＝９で変更なく管理する（４４６）。
【００５５】
続いて、ユーザが、番組ＰＣのダビングをキャンセルしたとする（４４６）。するとダビングの仮置きとしては、ＰＣ＝０に変更する（４１５）。この場合は、ダビング管理部２５３は、ダビング許容数を、ＰＡ＝１０，ＰＢ＝９，ＰＣ＝１０に修正する。
【００５６】
図５は、本実施形態に係る要部のさらに他の動作例を説明する図である。図５は、ダビングではなく、移動操作が行われた場合の動作フローを示している。
【００５７】
図５においても、記録再生装置（ダビング許容ステイタス）と記載したブロック４０１の列には、ブロック４６１、４６３、４６７、４７０を示し、各ブロックにおける番組ＰＡ、ＰＢ，ＰＣのダビング許容回数（ダビング残り回数と称してもよい）の値を示している。
【００５８】
また仮置き予約ステータス記載したブロック４５２の列には、ブロック４６２、４６５、４６９を示し、各ブロックにおけるダビング予約数を示している。さらに、ムーブ実行又はムーブキャンセルと記載したブロック４５３の列には、ムーブが実行されたり、ムーブがキャンセルされた場合のブロック４６４、４６８を示している。
【００５９】
今、記録再生装置１１１に番組ＰＡ，ＰＢ，ＰＣが録画されているものとする。この場合、ダビング管理部２５３は、いずれの番組もまだ１度もダビングされていない場合は、ＰＡ＝１０，ＰＢ＝１０，ＰＣ＝１０として管理する（４６１）。
【００６０】
次に、ユーザがスマートフォーン７００或いはリモートコントローラ４００を操作して、ムーブ予約操作を行い、番組ＰＢ、ＰＣを選択したものとする。このときは、ダビング管理部２５３は、ムーブの仮置きとして、ＰＢ＝１、ＰＣ＝１をセットする（４６２）。さらに、ダビング許容数としては、ＰＡ＝１０，ＰＢ＝９，ＰＣ＝９を管理する（４６３）。なおこの状態においては、ＰＡ＝１０，ＰＢ＝１０，ＰＣ＝１０であっても構わない。
【００６１】
なおユーザがムーブ予約操作を行う場合も、システムは、ユーザ操作に応じて表示器１３４或いは携帯端末７００の画面に録画リストを表示することができる。
【００６２】
上記の状態において、今、ユーザが、番組ＰＢを指定してムーブ実行操作を行ったとする（４６４）。するとダビング管理部２５３は、ムーブの仮置き情報として、ＰＢ＝０、ＰＣ＝１に変更する（４６５）。ダビング許容数としては、ＰＡ＝１０，ＰＢ＝０，ＰＣ＝９として変更し管理する（４４６）。つまりムーブの場合は、親も子もすべて残り０に設定する。
【００６３】
続いて、ユーザが、番組ＰＣのムーブをキャンセルしたとする（４４８）。するとダビングの仮置きとしては、ＰＣ＝０に変更する（４６９）。この場合は、ダビング管理部２５３は、ダビング許容数を、ＰＡ＝１０，ＰＢ＝０，ＰＣ＝１０に修正する（４７０）。
【００６４】
なお上記のダビング（或いはコピー）回数管理の方法以外にもさらに種々の管理方法があるが、後で説明することにする。
【００６５】
上記の図３、図４、図５において、ダビングを実行するためには、仮置きをおこなうという風に説明した。しかしながら、仮置き（所謂持出し予約）などは、番組が録画されると同時に作成されてもよいし、上記したようにユーザがマニュアルで作成してもよい。
【００６６】
図６は、表示器１３４を見ながら、リモートコントローラ４００或いは携帯端末７００を操作し、メニュー画面から「ダビング予約・実行設定」画面を表示した例を示している。
【００６７】
表示器１３４には、番組リストのアイテム列１３４１と、ダビング予約マークのアイテム列１３４２と、ダビング実行を設定するためのアイテム列１３４３、ダビング先を決めるためのアイテム列１３４４が表示される。
【００６８】
録画リストには、アイテムとして番組Ａ（録画番組リスト上、“ＡＡＡＡＡＡＡＡ”の番組），番組Ｂ（録画番組リスト上、“ＢＢＢＢＢＢＢＢ”の番組），番組Ｃ（録画番組リスト上、“ＣＣＣＣＣＣＣＣ”の番組）、番組Ｄ（録画番組リスト上、“ＤＤＤＤＤＤＤＤ”の番組）のアイテムが並ぶ。またダビング予約マークのアイテムとしては、ダビング予約マークを記入するチェックボックスが表示される。図の状態は、番組Ｂ、番組Ｃが予約された状態を示している。ダビング実行を設定するためのアイテム列には、番組毎に実行を決定するための決定ボックスが並んでいる。図の例では、ユーザが、リモートコントローラ操作により、カーソルを移動させて、番組Ｂに対応する決定ボックスを選択し、決定ボタンを押した様子を示している。またダビング先としては、ＤＶＤ１を設定している例を示している。ダビング先としては、デバイス管理部で管理されている、例えばＨＤＤ１，スマホ１などがある例を示している。
【００６９】
なお、図６はダビング予約の画面であるが、録画予約リストにダビング予約を設定できるようにしてもよい。この録画予約リストにダビング予約を設定する場合、図６のようにリスト中にダビング予約マークを入れるチェックボックスを表示しても良いし、リストから所望の番組を選択して一旦詳細予約画面を表示させ、この詳細予約画面中にダビング予約マークを入れるチェックボックスや、アイテム列１３４４のようなダビング先を選択するための素材を表示させ、指定できるようにしても良い。
【００７０】
この図６にてダビング先としてスマホ１が指定されている場合、記録再生装置１１１は、スマートフォーン７００が接続されたことを検出すると、スマートフォーン７００にダビング予約がされている番組をダビングする。このダビングはダビング実行を設定するためのアイテム列１３４３が選択（図６の例では斜め斜線の入った○印）されていた場合に自動でダビングを実行する。例えば記録再生装置１１１は、スマートフォーン７００のＵＳＢメモリ上にダビングを実行する。
【００７１】
ＵＳＢ接続でなくても、スマートフォーン７００が家庭内ＬＡＮ通信可能なエリアに入ると自動的にダビング予約したコンテンツがスマートフォーン７００のメモリにダビングされる。これを実現するため、記録再生装置１１１はスマートフォーン７００側には予め家庭内ＬＡＮ通信可能なエリアに入ると記録再生装置１１１へダビング予約している未転送の番組の有無を確認し、もし有れば記録再生装置１１１に対してダビングするための転送を要求し、この要求に基づき転送された未転送の番組をスマートフォーン７００のメモリにダビングするアプリケーションソフトウェアをインストールしておく。
【００７２】
上記したように、番組リストに提示されている番組に対してダビング予約マークを付することができる。このようにダビング予約マークが付された番組に関しては、例えば、記憶媒体（スマートフォーン、記録再生装置、ＳＤカードなど）が無線或いは有線で接続された場合、本システムは自動的に該当番組のダビングを実行することができる。
【００７３】
このためにユーザは、ダビング忘れなどをすることなく使い勝手の利便性を得ることができる。スマートフォーンやタブレットＰＣのメモリにダビングが実行される場合は、例えば、無線電波の圏内に当該スマートフォーンやタブレットＰＣが入ったときに、自動的なダビングが開始される。番組リストは録画予約、視聴予約などいずれの番組リストを含むものである。
【００７４】
図７Ａ、本実施形態で利用されるスマートフォーン７００のメニュー画面の一例を説明する図である。図７Ｂは、本実施形態で利用されるスマートフォーン７００の操作画面の一例を説明する図である。
【００７５】
ユーザは、携帯端末７００を利用し、記録再生装置１１１に記録されている番組の中から所望の番組を自身の携帯端末７００のメモリにダウンロードし、すきなときに、当該番組を携帯端末で視聴することができる。勿論、この携帯端末７００は、デバイス管理部２０４にて管理されている。
【００７６】
ユーザは、メニュー画面の中の「番組を持ち出す」という項目にタッチ（例えばタップ操作やダブルタップ操作）すると、番組リストのアイテム列７００１と、ダビング予約マークのアイテム列７００２と、実行指示のアイテム列７００３、キャンセルアイテム列７００４などを表示させることができる。
【００７７】
携帯端末７００の表示画面はテレビジョン装置１００の表示器１３４の画面に比べて面積が小さいので、アイテム列のすべてを同時表示することは不可能であるが、ユーザは、タッチ操作（例えばスライド操作）により画面をスクロールさせることで、所望のアイテム列を画面に表示されることができる。
【００７８】
図の例では、番組Ｂ，番組Ｃがダビング予約された様子を示している。また番組Ｂがダビング実行された例を示している。
【００７９】
上記のように、ダビング（或いはコピー）予約が簡単であるともに、その回数管理も正確に行われることになる。
【００８０】
図８Ａ、図８Ｂは、ダビング（或いはコピー）が行われた場合、その表示処理及び又は管理処理をどのように行うかを説明する図である。具体的な表示形態は示していないが、表示形態としては種々の形態があり、例えばメニュー画面に「ダビング回数情報」と言いう項目を設けると、以後に説明するようなダビング残り回数をユーザは、表示器１３４或いは携帯端末７００の画面で確認することが可能である。また操作画面には、ダビング残り回数表示を要求するボタンを設けてもよい。
【００８１】
図８Ａにおいて、状態８Ｓ１で、ユーザがリモートコントローラ４００或いは携帯端末７００により、テレビジョン装置１００を制御し、番組Ａを、ダビング予約（或いは準備、或いは持出し可能）に設定したものとする（８Ｓ１）。また番組Ａについては、既に１回ダビングが行われているものとする。
【００８２】
このときは、ユーザが表示器１３４上で、メニュー画面を介して、例えば番組リスト或いはダビング情報を見ると、番組Ａについては「番組Ａのダビング（コピー）回数＝９」、（８Ｓ２ａ）。また、携帯端末７００の画面上で、メニュー画面を介して、例えば番組リスト或いはダビング情報を見ると、番組Ａについては「番組Ａのダビング（コピー）回数＝９」を確認することができる（８Ｓ２ｂ）。
【００８３】
今、ユーザが、番組Ａをブルーレイディスク（ＢＤ）にダビング実行したものとする（８Ｓ３）。
【００８４】
その後、ユーザが表示器１３４上で、メニュー画面を介して、例えば番組リスト或いはダビング情報を見ると、番組Ａについては「番組Ａのダビング（コピー）回数＝８」、「番組Ａ（子）のダビング（コピー）回数＝８」を確認することができる（８Ｓ４ａ）。また、携帯端末７００の画面上で、メニュー画面を介してみても、例えば番組リスト或いはダビング情報を見ると、番組Ａについては、「番組Ａのダビング（コピー）回数＝８」を確認することができる（８Ｓ４ｂ）。
【００８５】
上記のように携帯端末７００の画面上においては、携帯端末７００で持ち出せるダビング回数のみを確認することができる。
【００８６】
図８Ｂは、先の状態８Ｓ４ａ、８Ｓ４ｂ（番組Ａの親も子もダビング可能な残り数は８の状態）から、それぞれ、異なる操作が行われた場合、残りダビング回数の管理と表示内容の各種ケースを説明している。この場合は、番組Ａの親と子を管理する例を示している。
【００８７】
最初のケース（８Ｓ１１ａ、８Ｓ１１ｂ、８Ｓ１１ｃ）について説明する。今、本体（テレビジョン装置）側で、番組Ａ（親）について、ダビング回数＝８の表示を削除したものとする（８Ｓ１１ａ）。この場合、本体側で、メニュー画面を介して、番組リスト或いはダビング情報を見ると、番組Ａ（親）に関するダビング回数の表示はなくなっている（８Ｓ１１ｂ）。一方、携帯端末７００の画面上においては、携帯端末７００で持ち出せるダビング回数を確認することができる。つまり番組Ａ（子）は、ダビング回数＝８を確認することができる（８Ｓ１１ｃ）。
【００８８】
次のケース（８Ｓ１２ａ、８Ｓ１２ｂ、８Ｓ１２ｃ）を説明する。今、先の状態８Ｓ４ａ、８Ｓ４ｂ（番組Ａの親も子もダビング可能な残り数は８の状態）から、番組Ａ（子）について、ダビング回数＝８の表示を削除したものとする（８Ｓ１２ａ）。この場合、本体側で、メニュー画面を介して、番組リスト或いはダビング情報を見ると、番組Ａについては「番組Ａ（親）のダビング（コピー）回数＝８」を確認することができる（８Ｓ１１ｂ）。しかし、携帯端末７００の画面上においては、携帯端末７００で持ち出せるダビング回数を確認すると、番組Ａ（子）に関するダビング回数の表示はなくなっている（８Ｓ１２ｂ）。
【００８９】
また、携帯端末７００の携帯端末７００の画面上においては、番組Ａ（子）のダビング回数の表示はなくなっている（８Ｓ１２ｃ）。
【００９０】
さらに次のケース（８Ｓ１３ａ、８Ｓ１３ｂ、８Ｓ１３ｃ）について説明する。今、先の状態８Ｓ４ａ、８Ｓ４ｂ（番組Ａの親も子もダビング可能な残り数は８の状態）から、携帯端末７００側に番組Ａ（子）をダビングしたものとする（８Ｓ１３ａ）。その後、本体側で、ユーザが表示器１３４上のメニュー画面を介して、例えば番組リスト或いはダビング情報を見ると、番組Ａについては「番組Ａ（親）のダビング（コピー）回数＝７」、「番組Ａ（子）のダビング（コピー）回数＝７」を確認することができる（８Ｓ１３ｂ）。また、携帯端末７００の画面上で、ユーザが、メニュー画面を介して、例えば番組リスト或いはダビング情報を見ると、番組Ａについては、「番組Ａ（子）のダビング（コピー）回数＝７」を確認することができる（８Ｓ１１ｃ）。
【００９１】
上記の説明は、表示する必要条件を述べたものであり、表示形態、マークにより文字を指示する方法、或いは、文字列を示す方法などがあり、特別に表示形態が限定されるものでなない。
【００９２】
上記したように、本実施形態によると、ダビング管理部２５３は、電子装置における第１ダビング許容回数と、該電子装置の外に持ち出すことを可能する準備部２５２における第２ダビング許容回数との両方を把握することができる。またダビング管理部２５３は、前記第１ダビング許容回数が低減した場合は、前記第２ダビング許容回数も連動して低減させることができる。さらにダビング管理部２５３が電子装置における第１ダビング許容回数と、該電子装置の外に持ち出すことを可能する準備部２５２における第２ダビング許容回数との両方を把握している場合、電子装置本体側の１３４表示器では前記第１ダビング許容回数と、前記第２ダビング許容回数の両方を表示する手段を備える。
【００９３】
図９は、携帯端末７００のブロック構成例である。携帯端末７００は、送受信アンテナ７２１、通信制御部７２２、データ処理部７２３、表示処理部７２４、システム制御部７２５を含む。また表示部７２６を含みこの表示部は、タッチ操作入力部としても機能する。先に説明した携帯端末７００での表示は、上記したブロックが相まって動作している。
【００９４】
図１０は、さらに本実施形態で用いられる表示器１３４或いは携帯端末７００で表示される表示画面の例を示す説明図である。上記の説明では、ダビング管理部２５３は、コンテンツに対する残りのダビング回数を管理することを説明した。しかしさらに、管理項目が増えてもよい。例えば、図１０は、録画番組リストが表示されたとき、ダビング残り数と、持出し予約数（ムーブ予約数）を示すことができる例を示した。図においてアイテム列１２４１には、番組名、放送時間などが表示され、アイテム列１３５５には、対応する番組のダビング残り回数が表示され、アイテム列１３５６には、持出し予約数（ムーブ予約数）が記載されている。
【００９５】
例として、番組「ＡＡＡ・・・」は、残りのダビング回数が１０回であり、持出し予約数３が示されている。また番組「ＢＢＢ・・・」は、残りのダビング回数が９回であり、持出し予約数３が示されている。さらにまた番組「ＣＣＣ・・・」は、残りのダビング回数が９回であり、持出し予約数なしが記述されている。このような持出し予約は、別途メニューにおいて、予約される。
【００９６】
上記のように持出し予約数が表示されることにより、ダビング回数をすべて使い切ることに対して、ユーザは注意を払うことができる。つまり１０回のダビング（コピー）をしてしまうと、その後、持出しを行おうとしてもできないことになるが、本実施形態によるとこのようなことが防止される。
【００９７】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。さらにまた、請求項の各構成要素において、構成要素を分割して表現した場合、或いは複数を合わせて表現した場合、或いはこれらを組み合わせて表現した場合であっても本発明の範疇である。また、複数の実施形態を組み合わせてもよく、この組み合わせで構成される実施例も発明の範疇である。
また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【００９８】
また請求項を制御ロジックとして表現した場合、コンピュータを実行させるインストラクションを含むプログラムとして表現した場合、及び前記インストラクションを記載したコンピュータ読み取り可能な記録媒体として表現した場合でも本発明の装置を適用したものである。また、使用している名称や用語についても限定されるものではなく、他の表現であっても実質的に同一内容、同趣旨であれば、本発明に含まれるものである。
【符号の説明】
【００９９】
１００・・・テレビジョン装置、１０２・・・デジタルチューナ装置、１１１・・・記録再生装置、１２２・・・ＴＳ処理部、１２３・・・オーディオデコーダ、１２４・・・オーディオデータ処理部、１２５・・・オーディオ出力部、１２６・・・スピーカ、１３１・・・画像デコーダ、１３２・・・画像データ処理部、１３３・・・画像出力部、１３４・・・表示器、２００・・・制御部、２５１・・・記録再生制御部、２５２・・・準備部、２５３・・・ダビング管理部、４００・・・リモートコントローラ、７００・・・携帯端末。
【図１】
2019140622.tif 000003
【図２】
2019140622.tif 000004
【図３】
2019140622.tif 000005
【図４】
2019140622.tif 000006
【図５】
2019140622.tif 000007
【図６】
2019140622.tif 000008
【図７Ａ】
2019140622.tif 000009
【図７Ｂ】
2019140622.tif 000010
【図８Ａ】
2019140622.tif 000011
【図８Ｂ】
2019140622.tif 000012
【図９】
2019140622.tif 000013
【図１０】
2019140622.tif 000014